【手続補正書】
【提出日】平成26年7月4日(2014.7.4)
【手続補正１】
【補正対象書類名】特許請求の範囲
【補正対象項目名】全文
【補正方法】変更
【補正の内容】
【特許請求の範囲】
【請求項１】
電気インピーダンストモグラフィのための電極センサであって、
（ａ）間隔をあけた個々の接触素子（３、１５、２７、２７’、４１）からなるアレイと、
（ｂ）前記接触素子と皮膚との間の接触を形成するためのインターフェース構造（１、９、１９、１９’、３０、３５、４３）であって、
−  インターフェース層の一方の面に皮膚接触表面（７、１３、２４）を規定し、もう一方の面にアレイ接触表面（６、１２、２３）を規定する、事実上電気的に絶縁している材料または導電性に乏しい材料（２、１０、２０、２０’、２９、３７）であるインターフェース層、
−  前記アレイ接触表面（６、１２、２３）にある導電性材料の第１のパターン、
−  前記皮膚接触表面（７、１３、２４）にある導電性材料の第２のパターン、および
−  前記第１のパターンと前記第２のパターンとを接続する電気経路（４、１４、２１、２１’、３９）
を備える前記インターフェース構造（１、９、１９、１９’、３０、３５、４３）
を備える電極センサにおいて、
−  前記電気経路は、相互に電気的に絶縁されていることと、
−  前記第１のパターンは、パターン素子を備え、該パターン素子は、相互に電気的に絶縁されていることと、
−  前記第２のパターンは、パターン素子を備え、該パターン素子は、相互に電気的に絶縁されていることと、
−  前記各々の接触素子（３、１５、２７、２７’、４１）は、前記インターフェース構造の前記アレイ接触表面と接触する際に、前記第１のパターンのいくつかのパターン素子を被覆するのに十分大きい接触表面領域を有することと、
−  前記第１のパターンの別個のセクションが前記個々の接触素子（３、１５、２７、２７’、４１）と接触することによって、前記電気経路（４、１４、２１、２１’、３９）の群は、前記第２のパターンの別個のセクションとさらに接触を達成し、その結果、前記個々の接触素子（３、１５、２７、２７’、４１）は、前記皮膚接触表面（７、１３、２４）に個々の有効電極（２５）を規定すること
とを特徴とする、
電極センサ。
【請求項２】
前記第１のパターンおよび前記第２のパターン（６、７、１２、１３、２３、２４）はそれぞれ、ドット、線、スポットおよび／またはパッチなどのパターン素子を備え、パターンの前記パターン素子は、相互に電気的に絶縁されていることを特徴とする、請求項１に記載の電極センサ。
【請求項３】
間隔をあけた個々の接触素子からなる前記アレイは、前記アレイ接触表面に取り外し可能なように固定できることを特徴とする、請求項１または２に記載の電極センサ。
【請求項４】
前記経路は、前記インターフェース層の両面で実質的に互いに対面して位置するパターン素子を接続することを特徴とする、請求項１から３のうちいずれか一項に記載の電極センサ。
【請求項５】
前記導電性の第１のパターン、前記導電性の第２のパターンおよび前記インターフェース構造（１、９、１９、３０、３５、４３）の前記電気経路（４、１４、２１、２１’、３９）は、前記インターフェース構造を接触素子（３、１５、２７、２７’、４１）と接触させることによって、前記アレイ接触表面上の前記実際の接触領域が本質的に前記皮膚接触表面（７、１３、２４）上の個々の有効電極（２５）の前記領域を規定するように設計されることを特徴とする、請求項１から４のうちいずれか一項に記載の電極センサ。
【請求項６】
−  前記導電性の第１のパターンは、前記アレイ接触表面上で間隔をあけた導電スポットおよび／または線で形成され、該スポットおよび／または線は、前記経路を介して前記第２のパターンの別個のセクション、スポットまたは線と個々に電気的に接続されること、および／または  
−  前記導電性の第２のパターンは、前記皮膚接触表面上で間隔をあけた導電スポットおよび／または線で形成され、これによって複数の前記スポットおよび／または線は、個々の有効電極（２５）を形成すること
を特徴とする、請求項１から５のうちいずれか一項に記載の電極センサ。
【請求項７】
前記アレイ接触表面の前記導電性の第１のパターンは、事実上電気的に絶縁している材料または導電性に乏しい材料（２０’）の側面端部の周囲、および任意である非導電性コア材料（２９）の周囲に延びる導電経路（２１’）を介して、前記皮膚接触表面の前記第２のパターンに電気的に接続されることを特徴とする、請求項１から６のうちいずれか一項に記載の電極センサ。
【請求項８】
前記導電性の第１のパターン、前記導電性の第２のパターンおよび前記導電経路は、前記インターフェース層と一体化していることを特徴とする、請求項１から７のうちいずれか一項に記載の電極センサ。
【請求項９】
前記接触素子は、支持構造に取り付けられ、好ましくは前記支持構造は、柔軟なベルト様構造を形成することを特徴とする、請求項１から８のうちいずれか一項に記載の電極センサ。
【請求項１０】
前記インターフェース構造は、フォーム、織繊維、編繊維もしくは不織繊維またはスペーサ繊維から製造されることを特徴とする、請求項１から９のうちいずれか一項に記載の電極センサ。
【請求項１１】
前記第１のパターン、前記第２のパターンおよび前記経路は、
−  好ましくはスパッターもしくは印刷、特にマイクロ印刷によって塗布される導電性塗料もしくは微粒子からなる材料、または
−  前記インターフェース構造内に織り込まれたり、編み込まれたり、縫い込まれたりする導電性の糸、ワイヤーもしくは繊維
を備えることを特徴とする、請求項１から１０のうちいずれか一項に記載の電極センサ。
【請求項１２】
間隔をあけた個々の接触素子からなるアレイおよび前記接触素子と皮膚との間の接触を形成するためのインターフェース構造を備える、電気インピーダンストモグラフィのための電極センサの製造方法であって、
−  インターフェース層の一方の面に皮膚接触表面（７、１３、２４）を規定し、もう一方の面にアレイ接触表面（６、１２、２３）を規定するインターフェース構造（１、９、１９、１９’、３０、３５、４３）を、事実上電気的に絶縁している材料または導電性に乏しい材料（２、１０、２０、２０’、２９、３７）のインターフェース層の形態で供給するステップと、
−  前記アレイ接触表面に導電性材料の第１のパターンを作成するステップであって、前記第１のパターンは、パターン素子を備え、該パターン素子は、相互に電気的に絶縁されているステップと、
−  前記皮膚接触表面に導電性材料の第２のパターンを作成するステップであって、前記第２のパターンは、パターン素子を備え、該パターン素子は、相互に電気的に絶縁されているステップと、
−  前記第１のパターンを前記第２のパターンに接続する導電経路（４、１４、２１、２１’、３９）を作成するステップであって、前記導電経路は、相互に電気的に絶縁されているステップと、
−  前記導電性の第１のパターンのセクションを、間隔をあけた個々の接触素子（３、１５、２７、２７’、４１）からなるアレイに接触させるステップであって、前記個々の接触素子は、前記第１のパターンのいくつかのパターン素子を被覆するのに十分大きい接触表面領域を備えるステップと
を含む、方法。
【請求項１３】
前記第１のパターンおよび前記第２のパターンならびに前記経路は、導電性材料からなるスポットおよび／または線を前記インターフェース構造に供給または挿入することによって製造され、前記インターフェース層を前記皮膚接触表面から前記アレイ接触表面まで貫通することを特徴とする、請求項１２に記載の方法。
【請求項１４】
−  前記電気経路（２１、２１’）は、事実上電気的に絶縁している材料または導電性に乏しい材料（２０、２０’、２９）の側面端部の周囲に延び、前記側面端部は、事実上電気的に絶縁している材料または導電性に乏しい材料（２０、２０’）を折り曲げることにより、側面の湾曲部として形成されること、または
−  前記導電経路  （１４、３９）  は、前記インターフェース層（９、３５）の前記アレイ接触表面  （１２）  から前記皮膚接触表面  （１３、１８、３１）  まで本質的に垂直に延びること
を特徴とする、請求項１２または１３に記載の方法。
【請求項１５】
医療用モニタリングのための、請求項１から１１のうちいずれか一項に記載の電極センサの使用法。